(57)【要約】【課題】  本発明は釣り用指サックに関し、手の指を曲げようとする動作をベルトが規制することのない釣り用指サックを提供することを第一の目的とする。そして、本発明の第二の目的は、釣り用指サックのベルトのズレを防止し、併せて指への釣糸の接触を防止して指の保護を図った釣り用指サックを提供することにある。【解決手段】  請求項１に係る発明は、指に装着する指サック部と、この指サック部に連設して指サック部の長手方向に延びるベルトと、このベルトの他端側に設けられた取付部とからなる釣り用指サックに於て、前記ベルトは、指サック部側が左右に分岐して、指サック部を装着する指の関節部分が突出する窓孔が設けられていることを特徴とする。  そして、請求項２に係る発明は、請求項１に記載の釣り用指サックに於て、左右に分岐した指サック部側のベルトは、指の左右両側面に沿って添設されていることを特徴とする。【選択図】    図２
2008131891.tif 000002
【特許請求の範囲】
【請求項１】
指に装着する指サック部と、この指サック部に連設して指サック部の長手方向に延びるベルトと、このベルトの他端側に設けられた取付部とからなる釣り用指サックに於て、
前記ベルトは、指サック部側が左右に分岐して、指サック部を装着する指の関節部分が突出する窓孔が設けられていることを特徴とする釣り用指サック。
【請求項２】
左右に分岐した指サック部側のベルトは、指の左右両側面に沿って添設されていることを特徴とする請求項１に記載の釣り用指サック。
【発明の詳細な説明】
【技術分野】
【０００１】
本発明は、スピニングリールを使用した投げ釣り等に於て、キャスティング時に釣糸を掛ける指を保護する釣り用指サックに関する。
【背景技術】
【０００２】
従来、スピニングリールを使用した投げ釣り等に於て、キャスティング時に釣糸を掛ける指を保護するために特許文献１，２に開示されるような釣り用指サックが使用されている。
図５及び図６は特許文献１に開示された釣り用指サックを示し、この釣り用指サック１は、主として人差し指３に装着可能な布や天然皮革，合成樹脂等で形成された指サック部５と、この指サック部５に取り付き、指サック部５の長手方向に延長して手７の甲９に添接する伸縮自在な帯状のベルト１１と、ベルト１１の端部側に設けられた鰐口クリップ状の挟持具（取付部）１３とで構成されており、挟持具１３が衣服の袖口１５を挟持し、そして、図６に示すように指サック部５の先端側は、操作性が良好となるように開口部１７が設けられている。
【０００３】
また、特許文献２に開示された釣り用指サックは、人差し指に装着される指サック部と、手首に巻かれるベルト状の手首への装着部と、これらを連結する伸縮性を持った手甲部とからなり、手甲部は手の甲に広く接触する略三角形状に形成されている。
そして、手甲部は、指サック部との繋ぎ部近くに、手に装着した際に握り拳の瑠の部分に被さる長孔が設けられており、長孔が握り拳の瑠の部分に被さって手甲部が固定されるようになっている。
【特許文献１】特開平１０−５６９３２号公報
【特許文献２】特許第３６０１７２３号公報
【発明の開示】
【発明が解決しようとする課題】
【０００４】
しかし乍ら、前記釣り用指サック１を使用した場合、ベルト１１が手の甲９と人差し指３の上部に沿って指サック部５まで配されるため、人差し指３を曲げようとすると、ベルト１１がその曲げ動作を規制してしまう不具合があった。
また、ベルト１１は帯状に形成されて、人差し指３の上部に沿って指サック部５まで配された構造上、人差し指３を曲げた際にベルト１１が人差し指３の側方へズレ易く、装着感が悪いといった欠点が指摘されていた。
【０００５】
更に、キャストした際に、指サック部５から釣糸が瞬間的に放たれるが、仕掛けに引かれた釣糸が張って人差し指３の側部に接触し、また、キャストした際に誤って釣糸が切断された場合にも、釣糸が人差し指３の側部に接触して不快感を感じることがある。
そして、上述の如き不具合は、特許文献２の釣り用指サックにも当てはまり、手甲部がキャスティング時の曲げ動作を規制し、また、人差し指の上部に沿って配された手甲部が人差し指の側方へズレ易い等の欠点があった。
【０００６】
本発明は斯かる実情に鑑み案出されたもので、既述した釣り用指サックに改良を加え、手の指（人差し指）を曲げようとする動作をベルトが規制することのない釣り用指サックを提供することを第一の目的とする。
そして、本発明の第二の目的は、釣り用指サックのベルトのズレを防止し、併せて指への釣糸の接触を防止して指の保護を図った釣り用指サックを提供することにある。
【課題を解決するための手段】
【０００７】
斯かる目的を達成するため、請求項１に係る発明は、指に装着する指サック部と、この指サック部に連設して指サック部の長手方向に延びるベルトと、このベルトの他端側に設けられた取付部とからなる釣り用指サックに於て、前記ベルトは、指サック部側が左右に分岐して、指サック部を装着する指の関節部分が突出する窓孔が設けられていることを特徴とする。
【０００８】
そして、請求項２に係る発明は、請求項１に記載の釣り用指サックに於て、左右に分岐した指サック部側のベルトは、指の左右両側面に沿って添設されていることを特徴としている。
【発明の効果】
【０００９】
請求項１に係る発明によれば、手に装着した釣り用指サックのベルトが指を曲げようとする動作を規制することがなくなって、キャスティングがスムーズに行えることとなった。
そして、請求項２に係る発明によれば、左右に分岐されたベルトが、指の左右両側面に沿って添設して指を覆い、指を両側から挟むため、指サック部とベルトのズレを防止することができる。
【００１０】
また、斯様に左右に分岐されたベルトが指の左右両側面に沿って添設して指を覆うため、キャスティング時に指の左右両側面への釣糸の接触を防止することができることとなった。
【発明を実施するための最良の形態】
【００１１】
以下、本発明の実施形態を図面に基づいて詳細に説明する。
図１及び図２は請求項１及び請求項２の第一実施形態に係る釣り用指サックを示し、本実施形態に係る釣り用指サック２１は、主として人差し指２３に装着する指サック部２５と、この指サック部２５の基端２６側に連設して指サック部２５の長手方向に延びるベルト２７と、ベルト２７の他端側に一体形成された取付けベルト（取付部）２９とで構成されている。
【００１２】
前記指サック部２５は、合成樹脂やアラミド等の繊維の織布やシート材，皮革等、摩耗に強く指を動かし易いように柔軟性を有する材料のシート材を先細りの筒状にして、シート材の両端を上部で縫い合わせて外側に突出する接合部３１を設けている。
また、操作性を良好にするため、指サック部２５の先端側には人差し指２３の先端が僅かに突出する覗き孔３３が設けられており、この指サック部２５を人差し指２３に装着すると、指サック部２５が人差し指２３の先端側を覆って、図２の如くキャスティング時に人差し指２３を掛けた釣糸３５によって人差し指２３が傷付くことを防止し、人差し指２３を保護するようになっている。
【００１３】
そして、前記指サック部２５の基端２６側、即ち、人差し指２３の差し込み側に、ベルト２７の先端側（一端側）が取り付けられている。
ベルト２７は、ゴムや合成樹脂（発泡ゴムや発泡合成樹脂を含む），皮革等の伸縮性を有する材料で形成されて、指サック部２５の基端側２６から指サック部２５の長手方向に延び、その他端側にベルト２７と交差するように手首への取付けベルト２９が一体形成されているが、ベルト２７は、指サック部２５側が左右に分岐している。
【００１４】
そして、左右に分岐して形成された分岐片３７，３９は、夫々、指サック部２５の基端２６側の左右側部内周に縫着等で取り付けられており、ベルト２７は取付けベルト２９側が幅広の面が上下に配された一筋の帯状に形成されて、その裏面が手４１の甲４３に添接しているが、指サック部２５側に分岐した左右の分岐片３７，３９は、先端側になるに従い、互いの裏面側が向き合うように捩れた状態で指サック部２５の基端２６側の左右側部内周に取り付けられている。
【００１５】
この結果、図２に示すように左右の分岐片３７，３９は、夫々、人差し指２３の左右両側面に添接して人差し指２３を覆い、そして、左右の分岐片３７，３９の間に形成された間隙が人差し指２３の上面側が覗く窓孔４５として機能し、人差し指２３を曲げたときには、この窓孔４５から人差し指２３の間接部分４７（主に最も大きく曲げる第２間接部分）がベルト２７の上方に突出するようになっている。
【００１６】
前記取付けベルト２９は、本実施形態に係る釣り用指サック２１が手４１から脱落しないようにこれを手首４９に保持するもので、既述したようにベルト２７と交差するように一体形成されている。そして、この取付けベルト２９を手首４９に巻回して、取付けベルト２９の一端側の下面に取り付けた係合部（雄型面ファスナー）５１を、取付けベルト２９の他端側上面に取り付けた係止部（雌型面ファスナー）５３に止着して、取付けベルト２９（釣り用指サック２１）が手首４９に固定できるようになっている。
【００１７】
その他、図中、５５は蒸れを防ぐためにベルト２７に設けられた通気孔である。
本実施形態に係る釣り用指サック２１はこのように構成されているから、斯かる釣り用指サック２１を装着してキャスティングするときは、図２の如く指サック部２５を介して人差し指２３の腹部側に釣糸３５を引っ掛けて保持すればよい。
而して、このとき、ベルト２７の取付けベルト２９側は、その裏面が手４１の甲４３に添接した状態となるため、甲４３にフィットしてベルト２７のズレを防止する。
【００１８】
更に、既述したように指サック部２５側に分岐したベルト２７の分岐片３７，３９が、夫々、人差し指２３の左右両側面に添接して人差し指２３を覆い、人差し指２３を両側から挟んで指サック部２５とベルト２７のズレを防止する。
また、人差し指２３を曲げて釣糸３５を指サック部２５に掛けたときに、前記窓孔４５から人差し指２３の間接部分４７がベルト２７の上方に突出して、曲げ動作を規制することがない。
【００１９】
そして、図２の状態からキャストして釣糸３５を離すと、指サック部２５から釣糸３５が瞬間的に放たれるが、仕掛けに引かれた釣糸が張って人差し指２３の側部に接触しようとしても、また、キャストした際に誤って釣糸３５が切断されて人差し指２３の側部に接触しようとしても、前記分岐片３７，３９が夫々人差し指２３の左右両側面を覆っているため、人差し指２３が保護されることとなる。
【００２０】
従って、本実施形態によれば、
[1]手４１に装着した釣り用指サック２１のベルト２７が人差し指２３を曲げようとする動作を規制することがなくなって、キャスティングがスムーズに行えることとなった。
[2]ベルト２７の指サック部２５側に設けた分岐片３７，３９が、人差し指２３の左右両側面に添接して人差し指２３を覆い、人差し指２３を両側から挟むため、指サック部２５とベルト２７のズレを防止することができる。
【００２１】
[3]分岐片３７，３９が、人差し指２３の左右両側面に添接して人差し指２３を覆い、人差し指２３を両側から挟むため、キャスティング時に人差し指２３の左右両側面への釣糸３５の接触を防止することができることとなった。
尚、上記実施形態では、ベルト２７を指サック部２５と別体に形成してこれを指サック部２５に取り付けたが、図３に示すように前記ベルト２７と同一形状のベルト２７-1を同一材料で形成すると共に、前記指サック部２５と略同一形状の指サック部２５-1をこのベルト２７-1と一体形成して連設してもよく、更に、前記取付けベルト２９に代え、図３及び図４に示すように衣服の袖口５７に係止するクリップ（取付部）５９をベルト２７-1の他端側に別体に取り付けてもよい。
【００２２】
而して、この実施形態に係る釣り用指サック６１によっても、ベルト２７-1のクリップ５９側の裏面が手４１の甲４３に添接した状態となるため、甲４３にフィットしてベルト２７-1のズレを防止する。
また、指サック部２５-1側に分岐したベルト２７-1の分岐片３７，３９が、夫々、人差し指２３の左右両側面に添接して人差し指２３を覆い、人差し指２３を両側から挟んで指サック部２５-1とベルト２７-1のズレを防止する。
【００２３】
更にまた、人差し指２３を曲げて釣糸３５を指サック部２５-1に掛けたときに、窓孔４５から人差し指２３の間接部分４７がベルト２７-1の上方に突出して、曲げ動作を規制することがない。
そして、図４の状態からキャストして釣糸３５を離すと、指サック部２５-1から釣糸３５が瞬間的に放たれるが、仕掛けに引かれた釣糸が張って人差し指２３の側部に接触しようとしても、また、キャストした際に誤って釣糸３５が切断されて人差し指２３の側部に接触しようとしても、分岐片３７，３９が夫々人差し指２３の左右両側面を覆っているため、人差し指２３が保護されることとなる。
【００２４】
従って、本実施形態によっても、前記実施形態と同様、所期の目的を達成することが可能である。
また、本実施形態によれば、長期に亘る使用で摩耗したり伸びたりしたベルト２７-1と指サック部２５-1のみの交換が可能で、図１の釣り用指サック２１に比しコストが安く済む利点を有する。
【００２５】
尚、本発明は、手袋の総ての指の先端側を切断して、人差し指の部分にのみ、前記ベルト２７，２７-1と指サック部２５，２５-1の構造を持たせた手袋にも適用可能であり、また、ベルト２７，２７-1の部分をメッシュ構造としてもよい。
更に、指サック部２５，２５-1は人差し指以外の指に装着してもよく、スピニングリールの他に両軸リールや片軸リールを用いた釣りに使用することも可能である。
【図面の簡単な説明】
【００２６】
【図１】請求項１及び請求項２の第一実施形態に係る釣り用指サックの全体斜視図である。
【図２】釣り用指サックの使用状態の全体斜視図である。
【図３】請求項１及び請求項２の第二実施形態に係る釣り用指サックの全体斜視図である。
【図４】釣り用指サックの使用状態の全体斜視図である。
【図５】従来の釣り用指サックの使用状態の平面図である。
【図６】従来の釣り用指サックの使用状態の側面図である。
【符号の説明】
【００２７】
２１，６１  釣り用指サック
２３  人差し指
２５，２５-1  指サック部
２７，２７-1  ベルト
２９  取付けベルト（取付部）
３１  接合部
３３  覗き孔
３５  釣糸
３７，３９  分岐片
４１  手
４３  甲
４５  窓孔
４７  間接部分
４９  手首
５１  係合部（雄型面ファスナー）
５３  係止部（雌型面ファスナー）
５７  袖口
５９  クリップ（取付部）                                                                                
【図１】
2008131891.tif 000003
【図２】
2008131891.tif 000004
【図３】
2008131891.tif 000005
【図４】
2008131891.tif 000006
【図５】
2008131891.tif 000007
【図６】
2008131891.tif 000008